(57)【要約】【課題】ケーシング内に備える冷凍機について消防法関連法規により規制を回避できて防爆構造とする必要がないスポットクーラーを提供すること。【解決手段】スポットクーラーは、ケーシングと、ケーシング内に備えられ、冷媒回路と、送風機と、冷媒回路および送風機を制御する制御装置を含む冷凍機とを含むスポットクーラーにおいて、ケーシングの内部空間を上部空間と下部空間とに仕切る中底部が、クーラー設置面から０．６ｍの高さ以上となるように設けられ、防爆型でない冷凍機が上部空間に備えられ、冷凍機により生成される冷風の冷風送出口がケーシングの上面部に設けられている。【選択図】図１
2019152381.tif 000002
【特許請求の範囲】
【請求項１】
ケーシングと、
前記ケーシング内に備えられ、冷媒回路と、送風機と、前記冷媒回路および前記送風機を制御する制御装置を含む冷凍機とを含むスポットクーラーにおいて、
前記ケーシングの内部空間を上部空間と下部空間とに仕切る中底部が、クーラー設置面から０．６ｍの高さ以上となるように設けられ、前記冷凍機が前記上部空間に備えられ、前記冷凍機により生成される冷風の冷風送出口が前記ケーシングの上面部に設けられていることを特徴とするスポットクーラー。
【請求項２】
前記ケーシングの上面部に設けられた前記冷風送出口に接続された所要長さのフレキシブルダクトと、
前記フレキシブルダクトよりも短い長さを有し前記フレキシブルダクトの吹出側端部に連通接続された蛇腹ダクトと、
前記ケーシングの上面部より立設されたダクト支持棹と、
前記ケーシングの側面部の適宜高さ位置に設けられた１つまたは複数の係止部と、
所要長さの棒状部を有し、前記棒状部の下端に前記フレキシブルダクトの前記蛇腹ダクト寄りの１つまたは複数の箇所に連結される連結部を有し、前記棒状部の上端を前記係止部に掛止されるフック部を有する１つまたは複数の吊下げ部材と、を有し、
前記フレキシブルダクトが前記冷風送出口から立ち上がり半円状に曲折されて前記ケーシングの側面に延びるとともに、前記ダクト支持棹に半円状曲折部の中途を支持され、かつ、１つまたは複数の前記吊下げ部材が前記ケーシングの前記側面部に設けられた前記係止部に掛止される構成である請求項１に記載のスポットクーラー。
【請求項３】
前記ダクト支持棹は、前記ケーシングの上面部に対し回動可能に立設されている請求項１または２に記載のスポットクーラー。
【請求項４】
前記フレキシブルダクトの前記ケーシングの側面に略水平に延びる部分に下支えバーを備えた請求項１ないし３のいずれか１項に記載のスポットクーラー。
【発明の詳細な説明】
【技術分野】
【０００１】
本発明は、スポットクーラーに関し、特に可搬型のスポットクーラーに関する。
【背景技術】
【０００２】
消防法関連法規により、プロパン、ガソリン、シンナー等の爆発性ガス雰囲気中で電気機器（スポットクーラーを含む）を使用して作業を行う場合に、電気機器が設置面から０．６ｍ未満にあると当該電気機器が発生する電気花火、熱によりガスに引火し爆発する危険があるので、防爆構造の電気機器を使用することが規制されており、防爆構造の種類、防爆構造にはその電気機器のクラス分けに応じて使用可能なガスの種類が定められ、耐圧防爆構造、油入防爆構造、耐圧防爆構造、内圧防爆構造、本質安全防爆構造、特殊防爆構造の６種類の防爆構造に分類されている。
【０００３】
特許文献１および２に開示されたスポットクーラーは、ケーシング内に冷凍機を備えた可搬型のスポットクーラーであり、冷凍機の構成要素である熱交換器および蒸発器を含む冷媒回路、圧縮機、送風機、制御装置などがそれぞれ防爆構造に設けられる必要がある。
【０００４】
特許文献３に開示されたスポットクーラーは、冷媒回路、送風機、制御装置が防爆構造に設けられていることが記載されている。
【０００５】
他方、特許文献１および２に開示されたスポットクーラーは、いずれも吹き出し口に短いエルボが接続されている。また、特許文献３に開示されたスポットクーラーは、吹き出し口に短いエルボが接続され、さらに狙ったスポットに冷風を吹き出しダクトが延長接続されている。
【先行技術文献】
【特許文献】
【０００６】
【特許文献１】特開平１０−２８１４９６号公報
【特許文献２】特開２００２−１３０７４４号公報
【特許文献３】特開２０１４−０８１１８１号公報
【発明の概要】
【発明が解決しようとする課題】
【０００７】
しかしながら、特許文献１、２および３に開示されたスポットクーラーは、冷媒回路、送風機、制御装置が防爆構造であるので、装置全体（ケーシング）が大きくなり、冷媒回路、送風機、制御装置がコスト高になるという問題がある。
【０００８】
また、特許文献１および２に開示されたスポットクーラーは、冷風を狙ったスポットに吹き出すことが難しい。特許文献３に開示されたスポットクーラーは、吹き出しダクトを延長接続する構成であるが、吹き出しダクトのサポートが考慮されていないので、冷風を狙ったスポットに吹き出すことが難しい。
【０００９】
例えば、夏場において、ガソリンスタンドのピットに車両を入れて当該車両を油圧ジャッキで持ち上げ、車両を修理・点検する場合、作業者に向けて冷風を送風するには、スポットの吹き出しダクトの先端部がスポットクーラーから大きく伸びて作業者の近傍に届きかつ吹き出し方向を自在に変えられる必要がある。しかしながら、従来のスポットクーラーにあっては、吹き出しダクトについてそのような配慮はなされていなかった。
【００１０】
本発明は、上述した点に鑑み案出されたもので、ケーシング内に備える冷凍機について消防法関連法規により規制を回避できて防爆構造とする必要がないスポットクーラーを提供することを目的としている。  
【課題を解決するための手段】
【００１１】
本発明に係るスポットクーラーは、上記課題を解決するため、ケーシングと、前記ケーシング内に備えられ、冷媒回路と、送風機と、前記冷媒回路および前記送風機を制御する制御装置を含む冷凍機とを含むスポットクーラーにおいて、前記ケーシングの内部空間を上部空間と下部空間とに仕切る中底部が、クーラー設置面から０．６ｍの高さ以上となるように設けられ、前記冷凍機が前記上部空間に備えられ、前記冷凍機により生成される冷風の冷風送出口が前記ケーシングの上面部に設けられている。
【発明の効果】
【００１２】
本発明によれば、ケーシング内に備える冷凍機について消防法関連法規による規制を回避できて防爆構造とする必要がないスポットクーラーを提供することができる。
【図面の簡単な説明】
【００１３】
【図１】本発明の実施の形態に係るスポットクーラーの縦断面図である。
【図２】本発明の実施の形態に係るスポットクーラーの側面図である。
【図３】本発明の実施の形態に係るスポットクーラーの斜視図である。
【発明を実施するための形態】
【００１４】
以下、本発明の実施の形態に係るスポットクーラーについて図面を参照して説明する。
【００１５】
図１に示すように、本実施の形態に係るスポットクーラー１は、ケーシング１０と、ケーシング１０内に備えられた冷凍機２０とを含む可搬型のスポットクーラーである。
【００１６】
ケーシング１０は、例えば合成樹脂製の直方体形状であり、下面部の四隅に方向自由形停止ロック機能を有するキャスター７０を備えた可搬型に形成されている。
【００１７】
ケーシング１０は、内部空間を上部空間と下部空間とに仕切る平板からなる中底部１１を有する。クーラー設置面ＧＬから中底部１１の上面までの高さは少なくとも０．６ｍ確保され、冷凍機２０は、ケーシング１０の上側空間に収容されている。中底部１１は上部空間と下部空間とを連通する網目板などではない。冷凍機２０により生成される冷風を、ケーシング１０の上面部１０ｄに設けられた後述する冷風送出口１８から送出するようになっている。この構成によれば、ケーシング内に備える冷凍機について消防法の関連法規による規制を回避することができ、冷凍機を構成している冷媒回路、送風機、制御装置を防爆構造にする必要が無く、低コスト化が図れる。
【００１８】
ケーシング１０は、縦仕切板１２により中底部１１で仕切られた上側空間がさらに高温室１３と低温室１４とに区画されている。
【００１９】
ケーシング１０には、前面部１０ａと後面部１０ｂの面幅が左右の側面部１０ｃの面幅よりも大きく、図１に示すように、第１の外気取入口１５が前面部１０ａ（または左側の側面部１０ｃ）開口されかつ第１の外気取入口１５の内面に図示しないフィルターが重ねられており、同様に、低温室１４に臨む後面部１０ｂに第２の外気取入口１６が開口されかつ第２の外気取入口１６の内面に図示しないフィルターが重ねられている。
【００２０】
さらに、ケーシング１０には、高温室１３に臨む上面部１０ｄに温風送出口１７が開口されているとともに、低温室１４に臨む上面部１０ｄに冷風送出口１８が開口されている。
【００２１】
冷凍機２０は、冷媒回路と送風機と制御装置を含んで構成されている。冷媒回路は、圧縮機２１と、第１の外気取入口１５に対向して配置される凝縮器２２と、膨張弁２３（またはキャピラリーチューブ）と、第２の外気取入口１６に対向して配置される蒸発器２４と、これらの機器内を所定順に冷媒液を循環させるように各機器間を連通接続する冷媒循環通路構成管２５とを含んで構成されている。
【００２２】
送風機としては、第１の送風機２６が外気を第１の外気取入口１５から凝縮器２２の放熱フィンの間を通して高温室１３に流入し温風送出口１７から送出するように設けられ、また、第２の送風機２７が外気を第２の外気取入口１６から蒸発器２４の吸熱フィンの間を通して低温室１４に流入し冷風送出口１８から送出するように設けられている。ケーシング１０の冷凍機２０を構成する各機器の配置は一例に過ぎない。
【００２３】
制御装置２８は、ＣＰＵ，ＲＯＭ，ＲＡＭ等を有する基盤と、スイッチング電源装置と、集電部等を含み、冷媒回路と送風機とを制御する。制御装置２８は、例えば、ケーシング１０の上部空間の前面部に設けられ、図示しない点検扉が設けられる。温度センサと湿度センサは、ケーシング１０外面の、例えば側面部１０ｃに取り付けられ、検出信号を制御装置２８に出力する。
【００２４】
図２、図３に示すように、スポットクーラー１は、冷風送出ダクトであるフレキシブルダクト３１および蛇腹ダクト３２と、フレキシブルダクト３１の立ち上がり部を抱持し立ち上がり部の座屈を防ぐダクト支持棹４０と、フレキシブルダクト３１の中途を水平状態、前側へ傾斜下降状態、後側へ傾斜下降状態のいずれかになるように懸下するための２つの吊下げ部材５０および４つの係止部５４と、フレキシブルダクト３１の水平部分を垂れないように下支えする下支えバー５５とを有し、冷風の送出について、吹き出し方向の自由度を考慮した構成となっている。なお、吊下げ部材５０と係止部５４は各１つ有ればよく、また図示する個数より多くてもよい。
【００２５】
フレキシブルダクト３１は、冷風送出口１８に解離可能に接続されている。フレキシブルダクト３１は、例えばスパイラル線の外面に耐熱性・耐久性・耐候性等を有し、ケーシング１０の上面に立ち上がってから大きく半円を描いてケーシング１０の後面部１０ｂと側面部１０ｃとのコーナー部の外側に下がり、さらに湾曲してケーシング１０の側面部１０ｃを水平方向前方へ向いて、ケーシング１０の前面部１０ａよりも若干突出した状態となる所要長さを有する。
【００２６】
蛇腹ダクト３２は、フレキシブルダクト３１よりも短い長さ、例えば２０〜５０ｃｍの長さを有し、フレキシブルダクト３１の先端部に接続され吹き出し方向を決定する。
【００２７】
ダクト支持棹４０は、ケーシング１０の上面部１０ｄに位置調整可能に固定された台座部４１と、台座部４１より立ち上がる柱部４２と、柱部４２の上端に水平回動可能に連結された保持部４３とを有し、保持部４３のＵ形の溝部にフレキシブルダクト３１の半円状曲折部の中途を受け入れて抱持する。台座部４１のケーシング１０の上面部１０ｄに対する位置調整可能な固定構造としては、例えば、上面部１０ｄに図示しないレールを前後方向に延びるように設け、台座部４１をこのレールに摺動可能に係合し、ボルトで位置固定される構成である。
【００２８】
ダクト支持棹４０は、台座部４１が位置調整可能であることと、保持部４３が水平回動可能であることから、フレキシブルダクト３１が立ち上がってから下がる位置を変更することができ、これによって、フレキシブルダクト３１の水平部分を前後方向へ同調できる。
【００２９】
吊下げ部材５０は、所要長さの棒状部５１を有し、棒状部５１の下端にフレキシブルダクト３１の中途に連結される連結部５２を有し、棒状部５１の上端をケーシング１０の右側の側面部１０ｃに固設される係止部５４に掛止される掛止部５３を有する。連結部５２は、バンド構造であるのが好ましい。係止部５４と掛止部５３は、連結される構成であれば良く、磁石による掛止も含む。
【００３０】
下支えバー５５は、フレキシブルダクト３１の水平部分の下面に宛がわれ、連結部５２により抱持され、フレキシブルダクト３１の水平部分を下支えする。
【００３１】
したがって、フレキシブルダクト３１の水平部分の２か所を支持する２つの吊下げ部材５０が上位置の２つの係止部５４に掛止されるときは、フレキシブルダクト３１の水平部分は高い位置に設置され、２つの吊下げ部材５０が下位置の２つの係止部５４に掛止されるときは、フレキシブルダクト３１の水平部分は低い位置に設置される。
【００３２】
さらに、前側の吊下げ部材５０が前側の下位置の係止部５４に掛止されかつ後側の吊下げ部材５０が後側の上位置の係止部５４に掛止されるときは、フレキシブルダクト３１の水平部分は水平ではなくなり前側へ傾斜下降する状態に設置され、また、前側の吊下げ部材５０が前側の上位置の係止部５４に掛止されかつ後側の吊下げ部材５０が後側の下位置の係止部５４に掛止されるときは、フレキシブルダクト３１の水平部分は水平ではなくなり後側へ傾斜下降する状態に設置される。
【００３３】
上記のように、フレキシブルダクト３１が高さ位置および傾斜状態を変えられ、加えて、蛇腹ダクト３２の吹き出し姿勢およびケーシング１０の前面部からの張出寸法を変えられるので、たとえば、スポットクーラー１をガソリンスタンドのピットで作業する作業員に最適な方向から、かつ最適な位置から冷風を吹き出すことができる。
【００３４】
なお、温風送出口１７にはロングエルボ状の温風送出ダクト６０が方向変換可能に取り付けられている。また、図１に示すように、ケーシング１０の下部空間については、例えば、前面部下部を両開き扉に構成し、蒸発器２４に発生する結露水を蒸発器２４の下側に設けるドレン皿６１で受け、さらにドレン皿６１から下部空間に落滴する結露水を受けて貯留するドレン水タンク６２が設けられている。
【符号の説明】
【００３５】
１  スポットクーラー
１０  ケーシング
１０ａ  前面部
１０ｂ  後面部
１０ｃ  側面部
１０ｄ  上面部
１０ｅ  後端縁
１８  冷風送出口
５４  係止部
７０  キャスター
２０  冷凍機
２１  圧縮機
２２  凝縮器
２６  第１の送風機
２７  第２の送風機
２８  制御装置
３１  フレキシブルダクト
３１ａ  半円状曲折部
３１ｂ  吹出側端部
３２  蛇腹ダクト
４０  ダクト支持棹
４１  台座部
４２  柱部
４３  保持部
５０  吊下げ部材
５１  棒状部
５２  連結部
５３  掛止部
５４  係止部
５５  下支えバー
ＧＬ  クーラー設置面
【図１】
2019152381.tif 000003
【図２】
2019152381.tif 000004
【図３】
2019152381.tif 000005